(57)【要約】【課題】同軸ケーブルに半田付けされるガイド部品を容易かつ確実に固定することが可能な半田付け治具を提供する。【解決手段】中心導体７１の外周側に外部導体７３を設けると共に中心導体７１と外部導体７３との間に絶縁体７２が介装された同軸ケーブル７の外部導体７３と、外部導体７３の外周に配置される筒状のガイド部品８とを半田付けするための半田付け治具１は、一端部において絶縁体７２から中心導体７１が露出した同軸ケーブル７を支持するケーブル支持部、及び絶縁体７２ならびに外部導体７３の端部をガイド部品８の少なくとも一部と共に収容する凹部１１０が設けられた治具本体１０と、ガイド部品８を外周側から囲むように凹部１１０内に配置される弾性変形可能なガイド保持リング２と、ガイド保持リング２を押圧して弾性変形させ、ガイド保持リング２にガイド部品８を締め付ける締め付け力を発生させる第２及び第３の押圧部材５２，５３とを備える。【選択図】図２
2017188263.tif 000002
【特許請求の範囲】
【請求項１】
中心導体の外周側に外部導体を設けると共に前記中心導体と前記外部導体との間に絶縁体が介装された同軸ケーブルの前記外部導体と、前記外部導体の外周に配置される筒状のガイド部品とを半田付けするための半田付け治具であって、
一端部において前記絶縁体から前記中心導体が露出した前記同軸ケーブルを支持するケーブル支持部、及び前記一端部における前記絶縁体ならびに前記外部導体を前記ガイド部品の少なくとも一部と共に収容する凹部が設けられた治具本体と、
前記ガイド部品を外周側から囲むように前記凹部内に配置される弾性変形可能な保持部材と、
前記保持部材を押圧して弾性変形させ、前記保持部材に前記ガイド部品を締め付ける締め付け力を発生させる押圧部材と、
を備えた半田付け治具。
【請求項２】
前記保持部材は、前記同軸ケーブルの軸方向から見た形状が周方向の一箇所に切り欠きが設けられたＣ字状であり、前記押圧部材から押圧力を受けて前記切り欠きの幅が狭くなるように弾性変形する、
請求項１に記載の半田付け治具。
【請求項３】
前記押圧部材は、前記治具本体に設けられた雌ねじに螺合する雄ねじが形成された軸部と、前記軸部の一端部に連結され、前記軸部を回転させる回転力を受ける操作部とを有し、
前記操作部が回転操作されたとき、前記軸部における前記一端部とは反対側の端部が前記保持部材の外周面に当接して前記保持部材を押圧する、
請求項２に記載の半田付け治具。
【請求項４】
前記凹部の底面と前記保持部材との間に配置され、前記一端部における前記絶縁体の端面が当接する当接面の中心部に前記中心導体を挿通させる挿通孔が形成された樹脂からなる端面受け部材をさらに備えた、
請求項１乃至３の何れか１項に記載の半田付け治具。
【発明の詳細な説明】
【技術分野】
【０００１】
本発明は、同軸ケーブルの端部に接続用のガイド部品を半田付けするための半田付け治具に関する。
【背景技術】
【０００２】
従来、同軸ケーブルの端部に接続用のガイド部品を半田付けするための半田付け治具として、特許文献１に記載のものが知られている。
【０００３】
特許文献１に記載の半田付け治具は、中心導体と外部導体の間に絶縁体を介装してなる同軸ケーブルと、筒状のガイド部品を有するコネクタとを半田付けするための治具であり、同軸ケーブルをクランプするための第１の外壁部と、ガイド部品を保持するための第１の内壁部と、中心導体が挿入された中心ピンを保持するための第２の内壁部と、中心導体が挿入された中心ピンの先端を保持するための第２の外壁部とを有している。
【０００４】
第１の内壁部へのガイド部品の固定は、第１の内壁部に形成された保持孔の内面に形成されたネジ部へのガイド部品の螺合、あるいは開閉式に構成された第１の内壁部を閉じることにより行われる。
【先行技術文献】
【特許文献】
【０００５】
【特許文献１】特開２０１１−２１０４１４号公報（［００２１］，［００３３］，図１，図８参照）
【発明の概要】
【発明が解決しようとする課題】
【０００６】
特許文献１に記載の半田付け治具において、第１の内壁部の保持孔にガイド部品を螺合によって固定する場合には、ガイド部品の装着時及び取り外し時にガイド部品を何回転もさせなければならず、特に取り外し時には同軸ケーブルをガイド部品と共に回転させる必要があるため、作業負担が大きくなる。また、第１の内壁部を開閉式とする場合には、半田付けの作業中にガイド部品がガタつき、ガイド部品が同軸ケーブルに対して傾いてしまう等のおそれがある。
【０００７】
そこで、本発明は、同軸ケーブルに半田付けされるガイド部品を容易かつ確実に固定することが可能な半田付け治具を提供することを目的とする。
【課題を解決するための手段】
【０００８】
本発明は、上記課題を解決することを目的として、中心導体の外周側に外部導体を設けると共に前記中心導体と前記外部導体との間に絶縁体が介装された同軸ケーブルの前記外部導体と、前記外部導体の外周に配置される筒状のガイド部品とを半田付けするための半田付け治具であって、一端部において前記絶縁体から前記中心導体が露出した前記同軸ケーブルを支持するケーブル支持部、及び前記一端部における前記絶縁体ならびに前記外部導体を前記ガイド部品の少なくとも一部と共に収容する凹部が設けられた治具本体と、前記ガイド部品を外周側から囲むように前記凹部内に配置される弾性変形可能な保持部材と、前記保持部材を押圧して弾性変形させ、前記保持部材に前記ガイド部品を締め付ける締め付け力を発生させる押圧部材と、を備えた半田付け治具を提供する。
【発明の効果】
【０００９】
本発明に係る半田付け治具によれば、同軸ケーブルに半田付けされる筒状のガイド部品を容易かつ確実に固定することが可能となる。
【図面の簡単な説明】
【００１０】
【図１】本実施の形態に係る半田付け治具を示し、（ａ）は左側面図、（ｂ）は正面図、（ｃ）は右側面図である。
【図２】半田付け治具による半田付け作業中の状態を示し、（ａ）は正面図、（ｂ）は（ａ）のＡ−Ａ線断面図である。
【図３】半田付け治具の要部を示す断面図であり、（ａ）は同軸ケーブルの軸方向に沿う断面における断面図、同軸ケーブルの軸方向に直交する断面における断面図である。
【図４】半田付け装置の要部の分解斜視図である。
【発明を実施するための形態】
【００１１】
［実施の形態］
本発明の実施の形態に係る半田付け治具について、図１乃至図４を参照して具体的に説明する。この半田付け治具は、同軸ケーブルの接続対象装置への接続のための筒状のガイド部品を、同軸ケーブルの端部に半田付けによって接続するためのものである。
【００１２】
図１は、本実施の形態に係る半田付け治具を示し、（ａ）は左側面図、（ｂ）は正面図、（ｃ）は右側面図である。図２は、半田付け治具による半田付け作業中の状態を示し、（ａ）は正面図、（ｂ）は（ａ）のＡ−Ａ線断面図である。図３は、半田付け治具の要部を示す断面図であり、（ａ）は同軸ケーブルの軸方向に沿う断面における断面図、同軸ケーブルの軸方向に直交する断面における断面図である。図４は、半田付け装置の要部の分解斜視図である。
【００１３】
半田付け治具１は、治具本体１０と、ガイド保持リング２と、端面受け皿３と、半田供給管４と、作業者によって操作される第１乃至第３の押圧部材５１〜５３とを有している。なお、半田付け治具１は、図１の下側が鉛直方向の下方となるように、作業台等に載置される。
【００１４】
治具本体１０は、下端部に設けられたベース部１１と、ベース部１１から上方に立設された背面壁部１２と、背面壁部１２から前方（作業者側）に突出して設けられた突部１３と、背面壁部１２に支持されて水平方向にスライド可能なスライド部１４とを有している。また、治具本体１０は、ベース部１１、背面壁部１２、及び突部１３が一体に形成されている。スライド部１４は、図１（ｃ）に示すように、背面壁部１２に設けられた係合凹部１２１に係合する係合凸部１４１を有し、突部１３に倒して離接可能である。
【００１５】
治具本体１０の突部１３には、半田供給管４が保持されている。半田供給管４には、上端部に設けられた導入口４ａから所定の長さの線状半田６が導入される。また、この導入口４ａには、図略のヒートガンから線状半田６の融点よりも高い温度の熱風Ｈが流入し、この熱風Ｈによって半田供給管４内に導入された線状半田６が溶融する。溶融して液状となった線状半田６は、下端部に設けられた導出口４ｂから導出される。
【００１６】
突部１３とスライド部１４との間には、同軸ケーブル７が挟まれて支持される。スライド部１４は、第１の押圧部材５１によって突部１３側へ移動する押圧力を受け、同軸ケーブル７を突部１３との間に挟持する。第１の押圧部材５１は、図２（ｂ）に示すように、棒状の軸部５１１と、作業者によって回転操作される操作部５１２とを有し、軸部５１１の先端部には雄ねじ５１１ａが形成されている。スライド部１４には、第１の押圧部材５１の軸部５１１を挿通させる挿通孔１４０が形成されている。突部１３には、軸部５１１の雄ねじ５１１ａが螺合するねじ孔１３０が形成されている。
【００１７】
軸部５１１は、操作部５１２と一体に回転し、操作部５１２が作業者によって所定の押圧方向に回転操作されると、雄ねじ５１１ａがねじ孔１３０に螺合して、操作部５１２がスライド部１４の側面１４ａに当接し、スライド部１４が突部１３側に移動する。これにより、突部１３とスライド部１４との間に配置された同軸ケーブル７が挟持される。突部１３及びスライド部１４は、本発明の「ケーブル保持部」の一態様である。
【００１８】
同軸ケーブル７は、中心導体７１の外周側に外部導体７３を設けると共に、中心導体７１と外部導体７３との間に絶縁体７２が介装され、さらに外部導体７３が外被７４に被覆されている。突部１３及びスライド部１４は、外被７４の外周面に接している。また、外被７４は、突部１３及びスライド部１４よりも下側に配置される部分の一部が除去されている。
【００１９】
外被７４から露出した絶縁体７２及び外部導体７３は、それぞれの一部が同軸ケーブル７の一端部において除去され、絶縁体７２から中心導体７１が露出している。この同軸ケーブル７の一端部には、ガイド部品８が取り付けられる。ガイド部品８は、銅等の良導電性を有する金属からなる筒状の部材であり、同軸ケーブル７を接続対象装置へ接続するために用いられる。また、ガイド部品８は、外部導体７３の外周に配置され、外部導体７３に半田付けされる。図３（ａ）に示すように、外部導体７３とガイド部品８との間には隙間Ｓが形成され、この隙間Ｓに半田供給管４の導出口４ｂから溶融した半田が供給される。
【００２０】
治具本体１０のベース部１１には、同軸ケーブル７の一端部における絶縁体７２ならびに外部導体７３をガイド部品８の少なくとも一部と共に収容する凹部１１０が設けられている。本実施の形態では、ガイド部品８の軸方向の一部が凹部１１０内に配置される。また、凹部１１０には、ガイド保持リング２及び端面受け皿３が収容される。
【００２１】
凹部１１０は、図４に示すように、ベース部１１の上面１１ａから下方に窪んで形成され、その底面１１０ａは円形状である。また、ベース部１１には、底面１１０ａの中心部を含む範囲に開口して同軸ケーブル７の中心導体７１を収容可能な切れ込み１１１が設けられている。切れ込み１１１は、ベース部１１を上下方向に貫通し、その一部がベース部１１の上面１１ａに開口すると共に、ベース部１１の手前側（背面壁部１２とは反対側）に開放されている。このため、作業者は、切れ込み１１１内の中心導体７１を視認可能である。
【００２２】
ガイド保持リング２及び端面受け皿３は、その軟化温度が導出口４ｂから導出される半田の温度よりも高い樹脂からなる。端面受け皿３は、凹部１１０の底面１１０ａに接して配置され、ガイド保持リング２は端面受け皿３の上面３ａに接して配置される。本実施の形態では、ガイド保持リング２の一部がベース部１１の上面１１ａよりも上方に突出しているが、ガイド保持リング２の全体が凹部１１０内に配置されていてもよい。ガイド保持リング２は、本発明の「保持部材」に相当し、端面受け皿３は、本発明の「端面受け部材」に相当する。
【００２３】
端面受け皿３は、円盤状であり、その中心部に同軸ケーブル７の中心導体７１を挿通させる挿通孔３０が形成されている。挿通孔３０の内径は、中心導体７１の外径よりも大きく、絶縁体７２の外径よりも小さい寸法である。図３（ａ）に示すように、同軸ケーブル７が半田付け治具１にセットされたとき、端面受け皿３の上面３ａには絶縁体７２の軸方向端面７２ａが当接する。すなわち、端面受け皿３の上面３ａは、絶縁体７２の軸方向端面７２ａが当接する平坦な当接面として形成されている。また、端面受け皿３の上面３ａには、ガイド部品８の軸方向端面８ａが当接する。
【００２４】
ガイド保持リング２は、半田付け治具１にセットされた同軸ケーブル７の軸方向から見た形状が、周方向の一箇所に切り欠き２０が設けられたＣ字状である。ガイド保持リング２は、ガイド部品８を外周側から囲むように凹部１１０内に配置され、周方向における切り欠き２０の幅が狭くなるように弾性変形可能な弾性を有している。ガイド保持リング２は、外力を受けない自然状態において、その内径がガイド部品８の外径よりも僅かに大きな寸法である。
【００２５】
ガイド保持リング２は、第２及び第３の押圧部材５２，５３によって押圧されて弾性変形し、ガイド部品８を締め付けて固定する。第２及び第３の押圧部材５２，５３は、第１の押圧部材５１と同様に、棒状の軸部５２１，５３１と、軸部５２１，５３１の一端部に連結された操作部５２２，５３２とを有している。操作部５２２，５３２は、軸部５２１，５３１を回転させる操作力を受ける。軸部５２１，５３１の先端部には、それぞれ雄ねじ５２１ａ，５３１ａがそれぞれ形成されている。
【００２６】
治具本体１０のベース部１１には、第２の押圧部材５２の軸部５２１を挿通させる挿通孔１１２、及び第３の押圧部材５３の軸部５３１を挿通させる挿通孔１１３が形成されている。挿通孔１１２，１１３は、水平方向に延在し、その一端部が凹部１１０の内周面１１０ｂに開口している。また、挿通孔１１２，１１３は、それぞれの中心軸線が凹部１１０の中心部で直交するように延在している。挿通孔１１２，１１３の内面には、凹部１１０側の一部に、雄ねじ５２１ａ，５３１ａが螺合する雌ねじ１１２ａ，１１３ａが形成されている。
【００２７】
第２及び第３の押圧部材５２，５３の操作部５２２，５３２が作業者によって回転操作されると、雄ねじ５２１ａ，５３１ａと雌ねじ１１２ａ，１１３ａとの螺合によって、軸部５２１，５３１が軸方向に進退移動する。第２及び第３の押圧部材５２，５３の操作部５２２，５３２が作業者によって所定の押圧方向に回転操作されると、軸部５２１，５３１の先端部が凹部１１０の内周面１１０ｂから突出し、ガイド保持リング２の外周面２ａに当接する。これにより、ガイド保持リング２が第２及び第３の押圧部材５２，５３からの押圧力を受け、切り欠き２０の幅が狭くなるように弾性変形してガイド部品８を締め付ける。すなわち、第２及び第３の押圧部材５２，５３は、ガイド保持リング２を押圧して弾性変形させ、ガイド保持リング２にガイド部品８を締め付ける締め付け力を発生させる。
【００２８】
このように、ガイド部品８がガイド保持リング２によって保持された状態で、外部導体７３とガイド部品８との間の隙間Ｓに半田供給管４の導出口４ｂから溶融した半田が供給される。そして、この半田が固化すると、ガイド部品８の半田付けが完了する。
【００２９】
その後、作業者は、第１乃至第３の押圧部材５１〜５３の操作部５１２，５２２，５３２を逆方向に回転させ、同軸ケーブル７及びガイド部材８を解放する。これにより、一端部にガイド部材８が半田付けされた同軸ケーブル７が得られる。
【００３０】
（実施の形態の作用及び効果）
以上説明した実施の形態によれば、以下のような作用及び効果が得られる。
【００３１】
（１）ガイド保持リング２は、第２及び第３の押圧部材５２，５３によって押圧されて弾性変形し、ガイド部品８を締め付けて固定するので、ガイド部品８を容易かつ確実に固定することが可能となる。また、ガイド保持リング２は、第２及び第３の押圧部材５２，５３から押圧力を受けて切り欠き２０の幅が狭くなるように弾性変形するＣ字状の樹脂部材であるので、その成形が容易である。
【００３２】
（２）第２及び第３の押圧部材５２，５３は、軸部５２１，５３１及び操作部５２２，５３２からなる簡素な構成であるので、その製造が容易であると共に、作業者による操作も簡単である。
【００３３】
（３）端面受け皿３は、凹部１１０の底面１１０ａとガイド保持リング２との間に配置され、その平坦な上面３ａに絶縁体７２の軸方向端面７２ａ及びガイド部品８の軸方向端面８ａが当接する。これにより、絶縁体７２とガイド部品８との軸方向の位置を正確に合わせることができる。また、隙間Ｓの下方に流動した半田は、端面受け皿３の上面３ａによって堰き止められ、ガイド部品８の外側に流出してしまうことが抑制される。
【００３４】
（実施の形態のまとめ）
次に、以上説明した実施の形態から把握される技術思想について、実施の形態における符号等を援用して記載する。ただし、以下の記載における各符号は、特許請求の範囲における構成要素を実施の形態に具体的に示した部材等に限定するものではない。
【００３５】
［１］中心導体（７１）の外周側に外部導体（７３）を設けると共に前記中心導体（７１）と前記外部導体（７３）との間に絶縁体（７２）が介装された同軸ケーブル（７）の前記外部導体（７３）と、前記外部導体（７３）の外周に配置される筒状のガイド部品（８）とを半田付けするための半田付け治具（１）であって、一端部において前記絶縁体（７２）から前記中心導体（７１）が露出した前記同軸ケーブル（７）を支持するケーブル支持部（突部１３，スライド部１４）、及び前記一端部における前記絶縁体（７２）ならびに前記外部導体（７３）を前記ガイド部品（２）の少なくとも一部と共に収容する凹部（１１０）が設けられた治具本体（１０）と、前記ガイド部品（８）を外周側から囲むように前記凹部（１１０）内に配置される弾性変形可能な保持部材（ガイド保持リング２）と、前記保持部材（２）を押圧して弾性変形させ、前記保持部材（２）に前記ガイド部品（８）を締め付ける締め付け力を発生させる押圧部材（５２，５３）と、を備えた半田付け治具（１）。
【００３６】
［２］前記保持部材（２）は、前記同軸ケーブル（７）の軸方向から見た形状が周方向の一箇所に切り欠き（２０）が設けられたＣ字状であり、前記押圧部材（５２，５３）から押圧力を受けて前記切り欠き（２０）の幅が狭くなるように弾性変形する、前記［１］に記載の半田付け治具（１）。
【００３７】
［３］前記押圧部材（５２，５３）は、前記治具本体（１０）に設けられた雌ねじ（１１２ａ，１１３ａ）に螺合する雄ねじ（５２１ａ，５３１ａ）が形成された軸部（５２１，５３１）と、前記軸部（５２１，５３１）の一端部に連結され、前記軸部（５２１，５３１）を回転させる回転力を受ける操作部（５２２，５３２）とを有し、前記操作部（５２２，５３２）が回転操作されたとき、前記軸部（５２１，５３１）における前記一端部とは反対側の端部が前記保持部材（２）の外周面（２ａ）に当接して前記保持部材（２）を押圧する、前記［２］に記載の半田付け治具（１）。
【００３８】
［４］前記凹部（１１０）の底面（１１０ａ）と前記保持部材（２）との間に配置され、前記一端部における前記絶縁体（７２）の端面（７２ａ）が当接する当接面（３ａ）の中心部に前記中心導体（７１）を挿通させる挿通孔（３０）が形成された樹脂からなる端面受け部材（３）をさらに備えた、前記［１］乃至［３］の何れか１つに記載の半田付け治具（１）。
【００３９】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００４０】
また、本発明は、その趣旨を逸脱しない範囲で適宜変形して実施することが可能である。例えば、上記実施の形態では、線状半田６が半田供給管４内で溶融して隙間Ｓに供給される場合について説明したが、半田の供給方法はこれに限らず、例えば半田ごてを用いて半田を供給してもよい。
【００４１】
また、上記実施の形態では、スライド部１４を突部１３側に移動させて同軸ケーブル７を保持するように構成した場合について説明したが、これに限らず、例えば第１の押圧部材５１の押圧力によって弾性変形可能な弾性体によって同軸ケーブル７を保持してもよい。
【符号の説明】
【００４２】
１…半田付け治具
１０…治具本体
１１０…凹部
１１０ａ…底面
１１２ａ，１１３ａ…雌ねじ
１３…突部（ケーブル保持部）
１４…スライド部（ケーブル保持部）
２…ガイド保持リング（保持部材）
２０…切り欠き
２ａ…外周面
３…端面受け皿（端面受け部材）
３０…挿通孔
３ａ…上面（当接面）
５２，５３…第２及び第３の押圧部材
５２１，５３１…軸部
５２１ａ，５３１ａ…雄ねじ
５２２，５３２…操作部
７…同軸ケーブル
７１…中心導体
７２…絶縁体
７２ａ…軸方向端面
７３…外部導体
８…ガイド部品
【図１】
2017188263.tif 000003
【図２】
2017188263.tif 000004
【図３】
2017188263.tif 000005
【図４】
2017188263.tif 000006